(57)【要約】【課題】払出方向が異なった出口に変更した場合にも、ディスクを着実に弾き出せる出口構造を容易に構築できるディスクの払出装置を提供する。【解決手段】ホッパから１つずつ送り出されるディスクをガイド通路により一列に案内し、前記ガイド通路と略直交する出口通路からディスクを払い出すディスク払い出し通路装置において、ディスクを払い出し方向に案内するガイド部材と、前記出口通路の入口部に該入口幅を狭める方向に附勢された弾き出しローラによりディスクを弾き出す弾き出し機構と、弾き出されたディスクを検出する払出し検知センサを具え、通路向きを逆向きとする変更時、前記ガイド部材、前記弾き出し機構、前記払出し検知センサを左右配置変えして対応する出口通路を形成可能とする取り付け部を有する。【選択図】  図３
2007219850.tif 000002
【特許請求の範囲】
【請求項１】
ホッパから１つずつ送り出されるディスクをガイド通路により一列に案内し、前
記ガイド通路の先端からディスクを横方向に払い出すディスク払出装置において、
ガイド通路の先端部に配置されディスクを横方向に案内する案内面を有したガイド部材と、
前記ガイド通路の出口に位置するディスクの放出手段と、
前記放出手段により弾き出されるディスクを検出する払出し検知センサを少なくとも具え、
前記ガイド部材、前記放出手段および前記払出し検知センサの取り付け部を前記ガイド通路の延長部の左右に設けたことを特徴とするディスク払出装置。
【請求項２】
前記放出手段は、ガイド通路の延長部の表裏に位置してなる前記請求項１に記載のディスク払出装置。
【発明の詳細な説明】
【技術分野】
【０００１】
本発明は、ディスクを外周縁が接触した状態で一列に整列させてガイド通路を案内させた後、ガイド通路の先端から横方向に払い出すようにしたディスク払出装置に関する。
【０００２】
特にディスクの払出方向を簡単に変更可能な払出装置に関する。
なお、本明細書で使用する「ディスク」とは、通貨であるコイン、ゲーム機のメダルやトークン等の代用貨幣、およびそれらと類似のものを包含する。
【背景技術】
【０００３】
この種の払出装置として、回転ディスクによりホッパ内のコインを１つずつ送り出した後、垂直上方に伸びるエスカレータ装置により一列にして上方へ案内すると共に、案内通路の出口端に設けた、規制ローラ２２、レバー２３、スプリング２８からなる放出手段２９の前記規制ローラ２２の復帰力によりコインを案内通路から側方へ弾き出すようにした構成のものが知られている。またレバー２３の揺動運動をセンサ２７により検知することにより、払い出したコインの信号を得るようにしている。
【０００４】
一方、同様にコイン送り出し装置により送り出されエスカレータ装置の案内路により上方へ案内されたコインを先端部から放出するコイン送り出し装置でおいて、弾性的に附勢されかつ直線的に案内されるローラによって放出機構を構成した払出装置が知られている。
この従来装置は前記ローラの位置を案内通路に対し、右又は左にオフセットして配置することによりコインの払い出し方向を変更できるようにしている。
【０００５】
【特許文献１】特開特開２００２−３２８２４号（図１乃至図７、第３頁乃至第４頁）
【特許文献２】特開平２００５−１９０２１３号(図１乃至図５、第６頁乃至第７頁)
【発明の開示】
【発明が解決しようとする課題】
【０００６】
前者の公報の装置において、出口を実施例の左向きから例えば反対の右向きにした場合に、案内通路の出口に位置して案内通路側に附勢されている放出手段は、その回動レバー、ローラ及びローラの移動孔などの部材を、右向きの出口用に相応する形状および構造のものに取り替えなければならない。その理由は、コインの直径に対応して案内通路の長さを変更しなければならない問題がある。
【０００７】
一方後者のものにあっては、コインの払出時に払出体であるローラがコインの反力を受け、ローラを支持する軸が案内溝面に圧接される。この圧接が繰り返されるとことにより、当該圧接部に凹部が形成される。このため前記軸が前記凹部に引掛かることにより円滑な払い出しが継続できない恐れがある。
【０００８】
本発明は、上記の点に鑑み成されたもので、その第1の目的は、ディスクの円滑な払出しを継続できるディスクの払出装置を提供するものである。
【０００９】
第2の目的は、ディスクの払い出し方向を変更する場合、両方向共通の部品を用いて容易に変更できるディスクの払出装置を提供するものである。
【課題を解決するための手段】
【００１０】
本発明は、ホッパから１つずつ送り出されるディスクをガイド通路により一列に案内し、前記ガイド通路の先端からディスクを横方向に払い出すディスク払出装置において、ガイド通路の先端部に配置されディスクを横方向に案内する案内面を有したガイド部材と、前記ガイド通路の出口に配設したディスクの放出手段と、
前記放出手段により弾き出されるディスクを検出する払出し検知センサを少なくとも具え、前記ガイド部材、前記放出手段および前記払出し検知センサの取り付け部を前記ガイド通路の延長部の左右に設けたことを特徴とするディスク払出装置である。
【００１１】
この構成により、ディスクの払い出す方向を左右逆に変更、例えば右払い出しから左払い出しにする構造に変更する場合に、ガイド通路の延長部に左右にそれぞれ取り付け部があるので、ガイド部材、弾き出し機構および払出し検知センサを位置変えすれば、出口向きが違う払出し装置を簡単に形成することができる。
【００１２】
左右両方向どちらでも同じガイド部材や弾き出し機構などを使って構成できるので、部品が共用することができ、経済的である。またそれらを固定するビスやねじなど固定部品も共通使用でき、部品点数が少なくて済む。また組み立て方も左右どちらとも大差ないので、容易に組み立てられる。
【００１３】
また前記放出手段は、ガイド通路の延長部の表裏に位置している。
【００１４】
ディスクが右と左と出る方向が違うと、ディスクを弾き出す放出手段の作動方向も逆になるので、単に左右に配置換えしても弾き出し方向は変わらないため機能しない。本発明ではガイド通路の延長部において、放出手段をその表と裏に設置換えするという巧妙な工夫により放出手段の作動方向も逆転し、変更したい方向へディスクを弾き出せるようになる。
【実施例】
【００１５】
以下、本発明の実施形態に係るディスク送出装置を、図面に基づいて説明する。
図１はディスクを送り出す回転ディスクを有するホッパに取り付けられたディスク送出装置を示す斜視図、図２はディスク送出装置の要部の斜視図、図３は右向きに払い出す構成としたディスク送出装置の分解斜視図、図４はその正面図である。
【００１６】
これらの図において、ディスク送出装置であるホッパ１はフレーム２と、フレーム２に固定され、かつディスク３を貯留する筒型のボウル４と、ボウル４の底部で回転するディスク３の送り出し用の回転ディスク５を有する。
【００１７】
このホッパ１には回転ディスクにより送り出されたディスク３を一列に案内するガイド装置６Ｍが上方に延びるように前記フレーム２に連結されている。ガイド装置６Ｍの内部にディスク一枚分の空間を占めるガイド通路６が形成されている。ガイド通路６は、縦長矩形のベース７と、ディスク３の厚みより僅かに厚い一対の細長板形のスペーサ８ａ，８ｂと、そのスペーサ８ａ，８ｂにあてがった一対のサポート板９，９を有する。
【００１８】
前記一対のスペーサ８ａ，８ｂの間隔は、ディスク３の直径よりも僅かに大きい。サポート板９，９及びスペーサ８ａ，８ｂを貫通するスクリュウ１１をベース７にねじ込むことにより、それらを一体化してある。これらベース７、スペーサ８ａ，８ｂ、サポート板９，９で囲まれた断面矩形の上下方向に延びる空間がガイド通路６である。
【００１９】
またガイド通路６の幅は、幅調整用の横長孔(図示せず)を有している右側のスペーサ８ｂを横に移動して左のスペーサ８ａとの間隔を変更してベース７に固定することで、ディスク３の径に応じて幅調整可能である。
【００２０】
ガイド通路６の上端部に、ディスク３をガイド通路６から横方向へ払い出すようにした出口通路１２Ｒが連通形成されている。
【００２１】
出口通路１２Ａは、以下の構成部材から形成されている。
説明の便宜上、最初にガイド通路６に対し右側に払い出す構成について説明する。
ガイド通路６の先端と連絡するように左側のスペーサ８ａの上端部に配設され、片側に右にカーブしたガイド縁１３が形成されているＬ字形のガイドスペーサ１４と、右側のスペーサ８ｂの外側に隣接配置され右方向の出口通路１２Ｒの転がり端を形成する右払出しガイド１５と、前記サポート板９，９および右払出しガイド１５にあてがわれ、ベース７に取り付け固定されるガイドカバー１６と、これらが取り付け固定されるベースの先端部、すなわちガイド通路６より更に先に延び出口通路１２Ｒの基板ともなるベース延長部７Ｄとである。なお、ガイドカバー１６の装着時に前記ガイドスペーサ１４はベース７のとの間に挟持固定される。
【００２２】
ベース延長部７Ｄの左サイドに取り付け部２１が設けられ、それと反対側の右サイドにも取り付け部２１、３２が設けられている。各々の取り付け部２１，３２には、ディスクの放出手段３５(後述する)をねじ止めするためのスクリュウ２４，２４の通し孔２２，２２、３１、３１が夫々形成されている。
ガイドスペーサ１４とガイドカバー１６を重ねて前記左サイドの取り付け部２１に当てがう。
【００２３】
またガイドカバー１６の左側前面に放出手段３５を当接配置する。ベース７の裏からスクリュウ２４，２４をガイドスペーサ１４とガイドカバー１６とを貫通させ、そのスクリュウ２４，２４を放出手段３５のフレーム３７にねじ止めする。これによりは放出手段３５がガイドカバー１７をその装着用板とし、ベース７に取り付け固定される。
また放出手段３５が固定されると同時に、ガイドスペーサ１４、ガイドカバー１６が一体となってベース７に締め付け固定される。
ベース、ガイドスペーサ１４およびガイドカバー１６の夫々には、前記スクリュウ２４，２４が挿通される通し孔２２，２２，３３，３３，３４，３４が設けられている。また放出手段３５のフレーム３７には、前記スクリュウ２４，２４がねじ込まれるねじ孔４５，４５が形成されている。
【００２４】
なお、右サイドの取り付け部３２には、ディスクを左向きに払い出す場合に、前記ガイドスペーサ１４が反転されて取り付けられる。また前記ガイドカバー１６と交換される別部材のガイドカバー１６Ｍ(図５等参照)が装着されるものとなっている。
【００２５】
ガイドカバー１６は、その下端部がサポート板９，９およびスペーサ８ａ，８ｂの先端部に当てがわれる。そしてサポート９，９板およびスペーサ８ａ，８ｂを貫通するスクリュウ９０，９０によりベース７にねじ止めされる。ガイドカバーにおいて前記スクリュウ９０，９０の通される一方の通し孔９１は丸孔であるが、右側の通し孔９２は横長の長穴となっている。これは直径の異なるディスクが使用可能なように左側のスペーサ８ａに対して右側のスペーサ８ｂを移動し幅調整した際、その右側のスペーサ８ｂの位置に合わせて、スクリュウ９０を差し込みねじ止めできるようにするためである。
またガイドカバー１６の下端部は、そのあてがい側であるサポート板９，９の先端部がスペーサ８ａ，８ｂとで段違い部になっているので、この取り付け部形状に合わさるような段部形状１６ｐに形成し、ガイドカバー１７がサポート板９，９およびスペーサ８ａ，８ｂと密着固定できるようにしてある。
【００２６】
ガイドカバー１６の上端部とガイドスペーサ１４の上端部は、スクリュウ６８，６８が払出し検知センサ３６(後述する)を保持したブラケット６３にねじ込むれることで、それらが一体でベース７に締め付け固定される。
ベース７、ガイドスペーサ１４およびガイドカバー１６において、スクリュウ６８，６８が通される部位にはそれぞれ横長な長穴７３、７５、７６を形成している。これら長穴７３，７５，７６の範囲内で、直径の異なるディスクが使用可能なように、払出し検知センサ３６の取り付け位置を調整可能である。
最後に右払い出しガイド１５がスクリュウ２５でベース７に取り付け固定される。
【００２７】
これによりベース７にガイドスペーサ１４、ガイドカバー１６および右払い出しガイド１５が一体に装着される。
これらベース７、ガイドスペーサ１４、ガイドカバー１６および右払出しガイド１５で囲まれた断面矩形の右方向に延びる空間が右向きの出口通路１２Ｒである。
出口通路１２Ｒの先に払出口がある。
【００２８】
ガイド通路６から出口通路１２Ｒへと入った先頭のディスク３は、ガイドスペーサ１４の右を向いているガイド縁１３により出口通路１２Ｒを右方向に案内される。
ガイドスペーサ１４をベース７の右サイドに装着した時は、ガイドスペーサ１４のガイド縁１３が左を向き、ディスク３を左向きに案内するようになる。
【００２９】
上記構造の出口通路１２Ｒに、ディスク３を右方向に弾き出す放出手段３５と、払い出されるディスク３を検出する払出し検知センサ３６が装着されている。
先ず放出手段３５に付いて説明する。
【００３０】
放出手段３５は、ガイド通路６の出口６Ｅにおいてガイド通路６の中心線に対して偏寄して配置され、かつ前記ガイド通路６に近づくように附勢された払出体としての弾きローラ３８を有している。
さらに詳述すると、部品を装着するための略Ｌ字形状をしたフレーム３７と、ガイド通路６を押し上がって出口通路１２に入り込むディスク３の外周に弾性的に接触する前述の弾きローラ３８と、先端に前記弾きローラ３８を回転自在に軸着した回動レバー３９と、弾きローラ３８が出口１２Ｅに臨むように回動レバー３９をガイド通路６側に附勢する弦巻スプリング４０と、回動レバー３９を前記弾きローラ３８がガイド通路６の出口６Ｅに臨んだ静止位置で受け止め保持するためのストッパー１０１とから構成されている。
【００３１】
なお、前記ストッパー１０１はフレーム３７と直角をなすように水平に折り曲げて形成してあり、かつその上面にゴムなどの緩衝部材１０２を配置した構成のものとなっている。また弦巻スプリング４０は、回動レバー３９の回動軸３９ｐに巻装されていて、その一端が前記フレーム３７と直角をなすように水平に折り曲げた掛け止め金具１０４の溝孔に掛止めされ、他端が回動レバー３９に有させた係止孔に掛止めることによって常に回動レバー３９をガイド通路６の方向(時計方向)へ附勢するものとなっている。
そして弾きローラ３８は、ベース延長部７Ｄに形成した弾きローラ用長孔４２と、前記ガイドカバー１６に形成した弧状の弾きローラ用長孔４３を介して出口通路１２に露出するようになっている。
【００３２】
放出手段３５は、ベース７に対して重ねたガイドスペーサ１４、ガイドカバー１７をベース裏から貫通したスクリュウ２４，２４をそのフレーム３７にねじ止めすることでガイドカバー１７の前面に装着された状態でベース７に取り付け固定される。この放出手段３５を固定するときに、ガイドカバー１７とガイドスペーサ１４が放出手段３５のフレーム３７とベース７との間に挟まれて固定され、ベース７と一体化する。
【００３３】
弾き出しローラ３８が臨むガイドカバー側およびベース側の夫々の弾きローラ用長孔４２，４３には、その左側縁に、互いに合致する湾曲した形状のガイド孔縁４５、４６が形成されている。弾き出しローラ３８は、これら双方のガイド孔縁４５，４６をガイドとして長孔４２、４３内を移動する。
【００３４】
なお、ベース側の弾きローラ用長孔４２の右側縁にも湾曲した形状のガイド孔縁４８が形成されている。このガイド孔縁４８は、右向き払い出しの態様となって、図６等に示すように、前記ガイドカバー１６とは別のガイドカバー１６Ｍが交換装着された場合に、そのガイドカバー１６Ｍに開口してある弾きローラ用長孔５０の右側縁に形成した湾曲した形状の右ガイド孔縁５１と合致するものとなっている。
【００３５】
次に払出し検知センサ３６を付いて説明する。
払出し検知センサ３６は、図２に示すように払出口の直前位置に出口通路１２Ｒを跨ぐように配設される。
払出し検知センサ３６は、チャンネル型形状の樹脂製の外装ケース６０を具え、その２つの柱状部６１，６１の一方にＬＥＤ等の発光素子を、他方に受光素子を内蔵して対向配設した構造の光学的検知センサーであって、柱部６１，６１間に位置する出口通路１２Ｒをディスク３が通過するときに、光路を遮断して出力する検出信号により払い出されるディスクが１つずつ検出される。
【００３６】
前記払出し検知センサ３６は、クランク形状をしたブラケット６３のセンサホルダー部６３Ｈに先ずスクリュウ６４，６４でねじ止めされる。外装ケース６０の上端部左右に取り付けタブ６０ｐ、６０ｐを有する。スクリュウ６４，６４を前記取り付けタブ６０ｐ、６０ｐの通し孔６５，６５からブラケット６３のねじ孔６６，６６にねじ込んで、払出し検知センサ３６を取り付ける。
その後、ベース７の表側からガイドカバー１６およびガイドスペーサ１４の横長な長孔７３，７５，７６を貫通させたスクリュウ６８，６８を、ブラケット６３のねじ孔７０，７０にねじ込むことによりブラケット６３をベースに固定する。これにより払出し検知センサ３６がベース７に取り付け固定される。
【００３７】
このとき、払出しセンサ３６をベース延長部７Ｄの上端部に設けた切欠き部７１に係合することで、仮止することができる。払出し検知センサ３６の二股柱状部６１，６１の接続部がはまることで仮止される。
切欠き部７１は、払出し検知センサ３６をベース７に添う横方向に多少動き得るようにその切欠幅を若干広めとし、払出し検知センサ３６を正常検知動作する正規位置に設定調整できるようにすると好ましい。
【００３８】
また払出検知センサ３６は、そのブラケット６３があてがわれる部位にあるベースの延長部７Ｄの長穴７３およびガイドスペーサ１４とガイドカバー１６の各長穴７５，７６の範囲内で位置調整可能である。これら切り欠き部７１および長穴７３等は、払出し検知センサ３６の取り付け部となっている。
【００３９】
またベース延長部７Ｄにおいて、前記切欠部７１と対抗する反対位置に係止段部８０が形成されている。この係止段部８０は、左方払出しの出口通路１２Ｌになった場合にベースの右サイドから左サイドに位置変えした払出し検知センサ３６を仮止め可能である。この係止段部８０と横長孔７３等が今度は払出し検知センサ３６の左払出用の取り付け部となる。
【００４０】
こうしてガイドスペーサ１４、ガイドカバー１６、右払い出しガイド１５等の部品をベース７に一体化して通路を形成し、かつその通路部に放出手段３５、払出し検知センサ３６を装着させて、右払い出し用の出口通路１２が形成される。
完成した構造は図２および図５に示す如きとなり、ベース７に対して表側に放出手段３５が配置され、裏側の取り付け部に払出し検知センサ３６が取り付けられたものとなる。
【００４１】
この場合、図４に示すように、ディスク払出し装置はその構成部品の回動レバー３９と払出し検知センサ３６は、別個で離れて位置した構成となっている。このため、ディスクの払出しに連動して回動する回動レバー３９の動作が、払い出し検知センサ３６の検知動作に影響を及ぼすことはない。言い換えれば、ディスクサイズが変わって、ガイド通路６の先頭のディスクの位置が変わり、図４のように回動レバー３９を上方に少し押し上げたような待機状態であっても、払出し検知センサの検知に無関係である。
このため、ディスクサイズが変わってもガイド通路の長さを変更せずともよいディスク払出し装置を得ることができる。
【００４２】
また、回動レバー３９の回動軸３９ａが左のスペーサ８ａの延長線上に位置するように放出手段３５を配置し、かつ払出し検知センサ３６を右のスペーサ８ｂの延長線上に位置させ、両部品をベースの延長部からはみ出さないようにした。
このようなガイド通路６の寸法(横方向幅域)内のエリアにこれら部品のセッティングを可能とする構造で、装置全体をコンパクトにすることができる。
なお、この際ベース延長部７Ｄとしては、右払出しガイド１５の装着する側辺部分７ｂが無いもの、またこの払い出し装置がゲーム機等の筐体に組み込むためにある先端の連結用部分７ｃは無い形態のものでも十分である。-
【００４３】
次に左払出用の出口通路１２Ｌに変更する場合のアセンブリを、図５乃至７及び前述実施例の右向き仕様の図３をも参照して説明する。
この場合、弾き出し機構３５、払出し検知センサ３６、ガイドスペーサ１４、ブラケット６３、複数個のスクリュウ２４，６４，９０，９１およびベース７を左向き用としても兼用する。なお、ベース７に関しては、ディスク径の変更に伴ってガイド通路６の幅を変更した場合、ベース７を別のものと取り替える構成としてもよい。実施例では、ベース７も共用している。
【００４４】
そしてアセンブリに当たって、上述の兼用部品のうち、ベース７と払出し検知センサ３６を除き、ガイドスペーサ１４、ブラケット６３および放出手段３５を、左右逆向きに半回転あるいは上下逆向きに半回転するなりして、図３にある状態から図６に示すような状態にする。
【００４５】
先ずガイドスペーサ１４を左右逆になるように半回転させて、右払出しのときに位置していたベース７の左サイドの取付部２１から右サイドの取付部３２に位置させる。この場合ガイドスペーサ14は、左右払出し方向変更時にガイド通路6の中心線に対して対称な配置となる。したがって、ガイドスペーサ１４のガイド縁１３が左を向き、ディスク３を左方向に案内できるようになる。
そのガイドスペーサ14も右払出し用のものをそのまま用いることができるので、部品が共用できる。
【００４６】
弾きローラ用長孔50を有する別部材のガイドカバー16Ｍを、前記ガイドスペーサー１４の前面に対応位置させる。その弾きローラ用長孔５０の右側縁には、ベース側の弾きローラ用長孔４２の右ガイド孔縁４８と一致する湾曲したガイド孔縁５１が形成されている。
【００４７】
放出手段３５をベース７に対して半回転させる。ベース７の裏面側においてその右サイドの取付部３２側に対応位置させて、そのフレーム３７をベース７にあてがう。
【００４８】
上下２本のスクリュウ２４，２４をガイドカバー１６からガイドスペーサ１４さらにベース７を貫通させて、放出手段３５のフレーム３７にねじ込む。これによって、放出手段３５がベース７の右サイドの取り付け部３２に取り付け固定される。
かつガイドカバー１６とガイドスペーサ１４も一体になってベース７に装着固定される。
弾きローラ３８はベース延長部７Ｄにある弾きローラ用長孔４２と前記ガイドカバー１６Ｍの弾きローラ用長孔５０から出口通路１２Ｌ内に露出する。
こうして放出手段３５は右払い出し用のものをその使用してベース７に取り付けることができるので、部品を共用できる。
【００４９】
なお、ガイドカバー１６において、スクリュウ２４，２４が通される穴を、弾きローラ用長孔５０の上部エッジに施した長溝穴３４ａと下の横長な長穴３４ｂとして、直径の異なるディスクが使用可能なようにベース７が交換されてそれに伴う放出手段３５の取付位置の調整を必要とする時に、これら長穴３４ａ，３４ｂの範囲で調整可能にしている。
また前記ガイドカバー１６において、その下端部がサポート９，９板およびスペーサ８ａ，８ｂを貫通するスクリュウ９０，９０によりベース７にねじ止めされる。
【００５０】
払出し検知センサ３６を装着させるブラケット６３を上下方向に半回転し、その左方に位置したセンサホルダー部６３Ｈに払出し検知センサ３６を２本のスクリュウ６４，６４でねじ止めして取り付ける。
スクリュウ６４，６４は右払出用のものをそのまま使用するので、部品を共用できる。
払出し検知センサ３６を、ベース７の左サイドの係止段部８０に係止して位置決めする。位置決め後、スクリュウ６８，６８をガイドカバー１６、ガイドスペーサ１４およびベース７の各長穴７６、７５、７３を通して貫通し、ベース７にあてがったブラケット６３のねじ孔７０，７０にねじ込む。
これによって、払出し検知センサ３６がベース７の右サイドから左サイドに位置が変わって取り付け固定される。同時にガイドカバー１６及びガイドスペース１４の上端部がベース７に一体に締め付け固定される。
払出し検知センサ３６も左払出用を右払出し用としてそのまま共用でき、経済的である。
【００５１】
こうして左払出し用の出口通路１２Ｌが完成する。このように、左払出し用に変わっても、そのほとんどの部品は右払出し用のものを共用することができる。よって部品点数も少なくて済み、払出し装置を安価に変更形成することができる。また組み立ても左右両方とも略同様の方式で行うことができるので、組立て作業も容易である。
【００５２】
完成構造の外観は、図５に示す如きで、ベース７に対して共に裏側に放出手段３５が配置され、払出し検知センサ３６が左サイドに位置した構造になる。
【００５３】
上記構造の払い出し装置においてその作用を説明する。左右払出す方向が違っても払い出し方は同じなので、右払出し用のディスク払出し装置を示す図１および図４において説明する。
【００５４】
送り出し装置であるホッパー１の駆動によりディスク３がガイド通路６に送り出され、それらは数珠つなぎ状態でガイド通路６を上方へと移動しガイド通路６の先端から出口通路１２Ｒに排出される。
出口通路１２Ｒに入ったディスク３は、ガイドスペーサ１４のガイド縁１３に右向きに案内されると共に、弾きローラー３８と接触し放出手段３５の回動レバー３９を押し上げ、かつ弾きローラ３８をスプリング４０の弾力に抗し、弾きローラ用長孔４２，４３内を斜め左上方へ押し上げ移動させる。
【００５５】
ディスク３の最大径部の通過時に回動レバー３９を最大限に押し上げた後、スプリング４０の弾力で弾きローラが下方に復帰回動するときにディスク３が弾き飛ばされる。復帰回動した回動レバー３９は、ストッパー１０１に下端部が当たりそれ以上の回動を阻止され、弾きローラ３８をガイド通路６の出口６Ｅに臨ませた待機位置に保持される。
ディスク３は、その勢いで出口通路１２Ｒを通って右向きの払出口から払い出される。弾きローラ３８で弾かれた直後にディスク３は、払出し検知センサ３６で検出され、総払い出数のカウントに用いられる。
定枚数カウント後、送り出し装置が停止する。以上のようにして、ディスク３がガイド通路６から出口通路１２Ｒを経て、右方向に払い出される。
【図面の簡単な説明】
【００５６】
【図１】図１はディスク送出手段に取り付けられたディスク払出装置を示す斜視図である。
【図２】図２はディスク払出装置の正面斜視図である。
【図３】図３は右向きの出口通路から払い出す構成のディスク払出装置の分解斜視図である。
【図４】図４はその正面図である。
【図５】図５は、左向きの出口通路から払い出す構成のディスク払出装置の正面斜視図である。
【図６】図６は右向きの出口通路から払い出す構成のディスク払出装置の分解斜視図である。
【図７】図７はその正面図である。
【符号の説明】
【００５７】
１    ホッパ
３  ディスク
６  ガイド通路
７  ベース
１２    出口通路
１３  ガイド縁
１４  ガイドスペーサ
１６  ガイドカバー-
２１，３２    取り付け部
２４、２４３スクリュウ
３５  放出手段
３６  払出し検知センサ
３８  弾き出しローラ
６０  外装ケース
６３  ブラケット
６４  スクリュウ
６８  スクリュウ
４２，４３  弾きローラ用長孔
７１  切り欠き部
８０  係止段部
９０，９０  スクリュウ
９１，９１  スクリュウ
【図１】
2007219850.tif 000003
【図２】
2007219850.tif 000004
【図３】
2007219850.tif 000005
【図４】
2007219850.tif 000006
【図５】
2007219850.tif 000007
【図６】
2007219850.tif 000008
【図７】
2007219850.tif 000009